(57)【要約】      （修正有）【課題】防水用袋へ水に換えてエアを充填することで、迅速かつ簡便容易に施設が可能になると共に、経済性及び耐久性があり保存に優れた防水用エア袋を提供する。【解決手段】本体１が機密性のある柔らかく折り曲げ自在なシートにより形成されると共に、前後の傾斜面２１、２２、底面２３及び両側面２４で構成される。内部にエアを収容する断面形状が三角形である横長空間を有する袋状とする。前記本体１の一方の傾斜面２１の頂部近傍に開閉手段を備えた給排口３が形成される。本体１の長手幅に亘って水圧受けシート４が、底面２３から防水側に配置する傾斜面２２の外側へ延設されている。前記本体１の両側面２４に、長手方向に隣接して同一の防水用エア袋と連結する接続手段５を備える。【選択図】図３
0003225886.tif 000002
【実用新案登録請求の範囲】
【請求項１】
本体が機密性のある柔らかく折り曲げ自在なシートにより形成されると共に、前後の傾斜面、底面及び両側面で構成されており、内部にエアを収容する断面形状が三角形である横長空間を有する袋状であって、前記本体の一方の傾斜面の頂部近傍に開閉手段を備えた給排口が形成されていること、本体長手幅に亘って水圧受けシートが、防水側に配置する傾斜面の外側へ底面から延設されていること、前記本体の両側面に、長手方向に隣接して同一の防水用エア袋と連結する接続手段を備えることを特徴とする防水用エア袋。
【請求項２】
本体内に整形用仕切り幕が本体と同一の素材で側面と平行に内装されており、前記整形用仕切り幕に連通孔が設けられていることを特徴とする請求項1に記載の防水用エア袋。
【請求項３】
連通孔は本体の断面三角形状の角部及び中心部に位置していることを特徴とする請求項２に記載の防水用エア袋。
【請求項４】
連結手段は、係止用リングと結着用紐を配設したことを特徴とする請求項１乃至３の何れかに記載の防水用エア袋。
【請求項５】
長手方向に連結された本体の接続部において、隣接する互いの側部近傍の傾斜面に跨って包着するカバーを着脱可能に設けたことを特徴とする請求項１乃至４の何れかに記載の防水用エア袋。
【考案の詳細な説明】
【技術分野】
【０００１】
本考案は洪水時に堤防や家屋の周りに運搬して設置され、越水や冠水を止める防水用水袋に関する。
【背景技術】
【０００２】
従来、河川等の氾濫による非常災害洪水対策工法としては、家屋の周りに土嚢を積み上げて防ぐもの、土を詰めた土嚢を製造して堤防天端の上に河川に沿って積み上げていく積み土嚢工法や、堤防天端に河川に沿って木杭を打ち込み、これに板を渡して堰を構成し、その内側に土や土嚢を盛って越水を防ぐ堰板工法が提案されている。
【０００３】
しかし、上記積み土嚢工法においては、膨大な人員と作業を必要とする上、その作業者の携わる手間と時間は無視できない。
また、堰板工法においても重量のある木板などの資材の運搬や、堰を構築する作業に多大な人員ならびに作業と時間を必要とする。
しかも、実際にこれらの作業は降雨の中で行わねばならず、大きな労力と困難が伴うのであり、さらに危難が去った後始末として土嚢の中の土を排出しなければならない。
また、土嚢の袋は使い捨て状態で廃棄されるため、経済的な廃棄コストがかかる上、資源の有効利用における環境上にも好ましくないものであった。
【０００４】
一方、防水のために設置される越水防止袋においては、袋状の本体内に土等の固形物に換えて水を充填して膨らますと共に、水勢に耐えられる重量を付与して一時的な防水に対処する方策もとられている。
水を充填する例として、特開昭４９−１１００８８号公報、特開２０１１−９９３１５号公報や特許第６２０９７１１号公報等がある。
【０００５】
そのうち、特開２０１１−９９３１５号公報では、膜材により構成され、内部に水を収容する空間が形成された本体と、前記本体に形成された注水口、及び排水口と、前記本体の両側部に設けられ、長手方向に隣接して配された前記越水防止装置を接続する接続手段と、前記本体内部に前記長手方向と略直交する方向に配された形状保持膜と、を備え、内部に注入された複数の前記越水防止装置が前記接続手段により一列に接続されて、越水を防止することを特徴とし、前記越水防止装置の断面形状は略三角形である越水防止装置が開示されている。
【先行技術文献】
【特許文献】
【０００６】
【特許文献１】特開昭４９−１１００８８号公報
【特許文献２】特開２０１１−９９３１５号公報
【特許文献３】特許第６２０９７１１号公報
【考案の概要】
【考案が解決しようとする課題】
【０００７】
前記に関して、内部空間に水を充填する水袋では全体の重量が増大し運搬が困難である。
そこで、水の充填は設置場所の近辺で行なうのが効率的であり、簡易迅速に充填と連結及び設置がなされることが望まれる。
そして、充填する水は設置対象の川や湖の水を濾して利用するのが簡便であり、ある程度の大きさの流石や流木等は排除できるが非効率とならないように細小な流動物等はそのまま袋内に納入されことになる。
そのため、使用後の排水によっても袋内に残留する物質が原因で、品質の悪化をきたし保存に支障が生じ、使用回数も限られ経済的コストを期待できない。
【０００８】
そこで、本考案は防水用袋へ水に換えてエアを充填することで、迅速かつ簡便容易に施設が可能になると共に、経済性及び耐久性があり保存に優れた防水用エア袋に提供せんとするものである。
【課題を解決するための手段】
【０００９】
本考案の防水用エア袋は、本体が機密性のある柔らかく折り曲げ自在なシートにより形成されると共に、前後の傾斜面、底面及び両側面で構成されており、内部にエアを収容する断面形状が三角形である横長空間を有する袋状であって、前記本体の一方の傾斜面の頂部近傍に開閉手段を備えた給排口が形成されていること、本体長手幅に亘って水圧受けシートが、底面から防水側に配置する傾斜面の外側へ底面から延設されていること、前記本体の両側面に、長手方向に隣接して同一の防水用エア袋と連結する接続手段を備えることを特徴とするものである。
【００１０】
請求項２の防水用エア袋の考案は、請求項１に記載の考案において、本体内に整形用仕切り幕が本体と同一の素材で側面と平行に内装されており、前記整形用仕切り幕に連通孔が設けられていることを特徴とするものである。
【００１１】
請求項３の防水用エア袋の考案は、請求項２に記載の考案において、連通孔は本体の断面三角形状の角部及び中心部に位置していることを特徴とするものである。
【００１２】
請求項４の防水用エア袋の考案は、請求項１乃至３の何れかに記載の考案において、連結手段は、係止用リングと結着用紐を配設したことを特徴とするものである。
【００１３】
請求項５の防水用エア袋の考案は、請求項１乃至４の何れかに記載の考案において、長手方向に連結された本体の接続部において、隣接する互いの側部近傍の傾斜面に跨って包着するカバーを着脱可能に設けたことを特徴とするものである。
【考案の効果】
【００１４】
本考案の、防水用エア袋は、本体が機密性のある柔らかく折り曲げ自在なシートにより形成されており、内部にエアを収容する断面形状が三角形である空間を有する袋状であるためエアを注入すれば膨らみ、断面形状が三角形である立体を形成できるため、軽量で安定した自立及び定着を期待できる効果を有する。
【００１５】
また、斜面の底面から外側へ延設されている水圧受けシートは、シート上の水圧と同時に、防水側に位置せしめるため、防水面となる傾斜面を押圧する水勢が、下方への静水圧と成って前記水圧受けシートに作用することと相俟って、水圧受けシートに重圧がかかるため、本体が軽量であっても水勢で後退することなく、定着を安定化する効果を発揮する。
【００１６】
そして、長手方向に隣接して同一の防水用エア袋と接続手段で容易に連結していけること、本体はシートで形成されているため、常時は畳んで保管でき、経年の再使用に耐え得るものとなる。
【００１７】
請求項２の考案は、本体内に整形用仕切り幕が本体と同一の素材で側面と平行に内装されているため、その外周が前記本体の内周面と接続されていることにより、内部にエアが注入された前記本体の断面形状を拘束し、エアを注入しても丸く膨らまずに、断面形状を整形維持する効果を有する。
【００１８】
また、前記整形用仕切り幕に連通孔が設けられているため、連通孔からエアが流通し本体全体へエアを注入できる効果を有する。
そして、請求項３の連通孔の位置とすることで、整形作用を損なうことなく本体全体へ均質に効率よくエアを注入できる効果を有する。
【００１９】
請求項４の隣接する本体同士の連結手段が係止用リングと結着用紐であるため格別の技量を要せず作業が容易であること、請求項５の長手方向に連結された本体の接続部において、隣接する互いの側部近傍の傾斜面に跨って包着するカバーを着脱可能に設けたことで、防水効果を一層高めるものとなる。
【図面の簡単な説明】
【００２０】
【図１】本考案の一実施の態様を示す正面図である。
【図２】図１の背面図である。
【図３】図１の右側面図である。
【図４】図１の縦断面図である。
【図５】連結状態を示す部分斜視図である。
【考案を実施するための形態】
【００２１】
本考案の一実施の形態を図面に基づいて説明する。
本考案の防水用エア袋は、本体１が機密性のある柔らかく折り曲げ自在なシートにより形成されると共に、前後の傾斜面２１，２２、底面２３及び両側面２４，２５で構成されており、内部にエアを収容する断面形状が三角形である横長空間２６を有する袋状である。
また、本体１の長手幅に亘って水圧受けシート４が、防水側に配置する傾斜面２２の外側へ底面２３から延設されている。
【００２２】
そして、前記本体１の長手方向の一方の傾斜面２１の頂部近傍に、開閉手段３１を備えた給排口３が形成され、前記本体１の両側面２４、２５に、長手方向に隣接して設置する同一の防水用エア袋と連結する接続手段５を備える。
さらに、本体１内には整形用仕切り幕６が内装されており、前記整形用仕切り幕６に連通孔６１が設けられている。
【００２３】
本体１の素材である機密性のある柔らかく折り曲げ自在なシートは、例えばポリ塩化ビニールシートの厚さ０．６ｍｍのシートを選択でき、また、ポリエステル系の織布に塩化ビニル樹脂が含浸コーティングされたものなどがあり、他の同質の素材を適宜選択できる。
各パーツの連結は接着剤による接着、融着、又は縫着して該部を樹脂コーティング、或いは縫着して該部にテープを被着する等の方法が考えられ、その他適宜公知の方法を選択できる。
【００２４】
水圧受けシート４は、本体１と同一の素材で形成され、前記傾斜面２２側の底面２３から本体１の長手幅に亘って外側へ延設され、底面２３とは重層部において適宜手段で接着されて一体化されている。
そして、延設した傾斜面２２を河川等の流水側に配して設置するため、水圧受けシート４は増水した河川内に位置するものとなり、水圧受けシート４上の水圧と同時に、傾斜面２２を押圧する水勢が、下方への静水圧と成って水圧受けシート４に作用して重圧がかかるため、本体１が軽量であっても水勢で後退することなく、定着を安定化する作用を奏する。
【００２５】
本体１の長手方向の一方の傾斜面２１の頂部近傍に、開閉手段３１を備えた給排口３が形成されており、開閉手段３１は給排口３に開閉バルブを取り付けたたり、口栓やキャップを着脱する簡易なものまで設置場所や本体の大きさ等で適宜選択することができる。
使用時には、給排口３よりエアをコンプレッサー等で強制的に断面形状が三角形である本体１の横長空間２６内に充填して目的の場所に設置する。
使用後は、給排口３を開口して排気し、折り畳んで保存するものである。
【００２６】
また、本体１の横長空間２６内には、整形用仕切り幕６が本体と同一の素材で側面と平行に定間隔で内装されている。
整形用仕切り幕６に連通孔６１が設けられており、図面の例では連通孔６１は本体１の断面三角形状の各角部と中心部に配置され、給排口３が一カ所であっても本体１の横長空間２６内にエアを充填し、排気することができる。
そして、整形用仕切り幕６の外周が本体１の内周面と接続されていることにより、空間２６の内部にエアが注入された際に、本体１の断面形状を拘束し、エア圧によって丸く膨らむことなく、本他1の断面形状を三角形状に整形維持する作用をなす。
【００２７】
接続手段５は、図面において、各側面２４，２５にリング５１と係止用ベルト５２を、各側面２４，２５の周囲に定間隔で対応して設けた図面が例示されている。
連結は、本体１の長手方向に連接配置し、隣接する側面２４，２５同士の対応する接続手段５のリング５１と対する係止用ベルト５２を締着することで容易・迅速に連結できる。
対応する各リング５１と係止用ベルト５２の締着し易い一方の組を選択すればよく、２組共に締着すことまで要しない。
【００２８】
本体１の長手方向に連結された接続部には、隣接する互いの側部近傍の傾斜面２１，２２に跨って包着するカバー７が着脱可能に設けられ、連結を強化すると共に、接続部からの水の漏出を防ぐものである。
カバー７は本体１の傾斜面２１，２２及び前述の水圧受けシート４を被覆する前後長を有し、両側部に面テープ８，８が装設されており、傾斜面２１，２２に対応して装設されている面テープ８，８同士が密着し、隣接する接続部に跨設される。
【００２９】
以上説明した本考案の技術的範囲は、上記の実施の形態例に限定されるものではなく、本明細書及び図面に記載した事項から明らかになる本考案が真に意図する技術的思想の範囲全体に、広く及ぶものである。
【符号の説明】
【００３０】
１          本体
２１，２２  傾斜面
２３        底面
２４，２５  側面
２６        空間
３          給排口
３１        開閉手段
４          水圧受けシ−ト
５          接続手段
５１        リング
５２        係止用ベルト
６          整形用仕切り幕
６１        連通孔
７          カバー
８          面テープ
【図１】
0003225886.tif 000003
【図２】
0003225886.tif 000004
【図３】
0003225886.tif 000005
【図４】
0003225886.tif 000006
【図５】
0003225886.tif 000007
【手続補正書】
【提出日】令和2年2月7日(2020.2.7)
【手続補正１】
【補正対象書類名】実用新案登録請求の範囲
【補正対象項目名】全文
【補正方法】変更
【補正の内容】
【実用新案登録請求の範囲】
【請求項１】
本体が機密性のある柔らかく折り曲げ自在なシートにより形成されると共に、前後の傾斜面、底面及び両側面で構成されており、内部にエアを収容する断面形状が三角形である横長空間を有する袋状であって、前記本体の一方の傾斜面の頂部近傍に開閉手段を備えた給排口が形成されていること、本体長手幅に亘って水圧受けシートが、防水側に配置する傾斜面の外側へ底面から延設されていること、前記本体の両側面に、長手方向に隣接して同一の防水用エア袋と連結する接続手段を備えることを特徴とする防水用エア袋。
【請求項２】
本体内に整形用仕切り幕が本体と同一の素材で側面と平行に内装されており、前記整形用仕切り幕に連通孔が設けられていることを特徴とする請求項１に記載の防水用エア袋。
【請求項３】
連通孔は本体の断面三角形状の角部及び中心部に位置していることを特徴とする請求項２に記載の防水用エア袋。
【請求項４】
連結手段は、係止用リングと結着用紐を配設したことを特徴とする請求項１乃至３の何れかに記載の防水用エア袋。
【請求項５】
長手方向に連結された本体の接続部において、隣接する互いの側部近傍の傾斜面に跨って包着するカバーを設けたことを特徴とする請求項１乃至４の何れかに記載の防水用エア袋。
【手続補正２】
【補正対象書類名】明細書
【補正対象項目名】全文
【補正方法】変更
【補正の内容】
【考案の詳細な説明】
【技術分野】
【０００１】
本考案は洪水時に堤防や家屋の周りに運搬して設置され、越水や冠水を止める防水用水袋に関する。
【背景技術】
【０００２】
従来、河川等の氾濫による非常災害洪水対策工法としては、家屋の周りに土嚢を積み上げて防ぐもの、土を詰めた土嚢を製造して堤防天端の上に河川に沿って積み上げていく積み土嚢工法や、堤防天端に河川に沿って木杭を打ち込み、これに板を渡して堰を構成し、その内側に土や土嚢を盛って越水を防ぐ堰板工法が提案されている。
【０００３】
しかし、上記積み土嚢工法においては、膨大な人員と作業を必要とする上、その作業者の携わる手間と時間は無視できない。
また、堰板工法においても重量のある木板などの資材の運搬や、堰を構築する作業に多大な人員ならびに作業と時間を必要とする。
しかも、実際にこれらの作業は降雨の中で行わねばならず、大きな労力と困難が伴うのであり、さらに危難が去った後始末として土嚢の中の土を排出しなければならない。
また、土嚢の袋は使い捨て状態で廃棄されるため、経済的な廃棄コストがかかる上、資源の有効利用における環境上にも好ましくないものであった。
【０００４】
一方、防水のために設置される越水防止袋においては、袋状の本体内に土等の固形物に換えて水を充填して膨らますと共に、水勢に耐えられる重量を付与して一時的な防水に対処する方策もとられている。
水を充填する例として、特開昭４９−１１００８８号公報、特開２０１１−９９３１５号公報や特許第６２０９７１１号公報等がある。
【０００５】
そのうち、特開２０１１−９９３１５号公報では、膜材により構成され、内部に水を収容する空間が形成された本体と、前記本体に形成された注水口、及び排水口と、前記本体の両側部に設けられ、長手方向に隣接して配された前記越水防止装置を接続する接続手段と、前記本体内部に前記長手方向と略直交する方向に配された形状保持膜と、を備え、内部に注入された複数の前記越水防止装置が前記接続手段により一列に接続されて、越水を防止することを特徴とし、前記越水防止装置の断面形状は略三角形である越水防止装置が開示されている。
【先行技術文献】
【特許文献】
【０００６】
【特許文献１】特開昭４９−１１００８８号公報
【特許文献２】特開２０１１−９９３１５号公報
【特許文献３】特許第６２０９７１１号公報
【考案の概要】
【考案が解決しようとする課題】
【０００７】
前記に関して、内部空間に水を充填する水袋では全体の重量が増大し運搬が困難である。
そこで、水の充填は設置場所の近辺で行なうのが効率的であり、簡易迅速に充填と連結及び設置がなされることが望まれる。
そして、充填する水は設置対象の川や湖の水を濾して利用するのが簡便であり、ある程度の大きさの流石や流木等は排除できるが非効率とならないように細小な流動物等はそのまま袋内に納入されことになる。
そのため、使用後の排水によっても袋内に残留する物質が原因で、品質の悪化をきたし保存に支障が生じ、使用回数も限られ経済的コストを期待できない。
【０００８】
そこで、本考案は防水用袋へ水に換えてエアを充填することで、迅速かつ簡便容易に施設が可能になると共に、経済性及び耐久性があり保存に優れた防水用エア袋に提供せんとするものである。
【課題を解決するための手段】
【０００９】
本考案の防水用エア袋は、本体が機密性のある柔らかく折り曲げ自在なシートにより形成されると共に、前後の傾斜面、底面及び両側面で構成されており、内部にエアを収容する断面形状が三角形である横長空間を有する袋状であって、前記本体の一方の傾斜面の頂部近傍に開閉手段を備えた給排口が形成されていること、本体長手幅に亘って水圧受けシートが、底面から防水側に配置する傾斜面の外側へ底面から延設されていること、前記本体の両側面に、長手方向に隣接して同一の防水用エア袋と連結する接続手段を備えることを特徴とするものである。
【００１０】
請求項２の防水用エア袋の考案は、請求項１に記載の考案において、本体内に整形用仕切り幕が本体と同一の素材で側面と平行に内装されており、前記整形用仕切り幕に連通孔が設けられていることを特徴とするものである。
【００１１】
請求項３の防水用エア袋の考案は、請求項２に記載の考案において、連通孔は本体の断面三角形状の角部及び中心部に位置していることを特徴とするものである。
【００１２】
請求項４の防水用エア袋の考案は、請求項１乃至３の何れかに記載の考案において、連結手段は、係止用リングと結着用紐を配設したことを特徴とするものである。
【００１３】
請求項５の防水用エア袋の考案は、請求項１乃至４の何れかに記載の考案において、長手方向に連結された本体の接続部において、隣接する互いの側部近傍の傾斜面に跨って包着するカバーを設けたことを特徴とするものである。
【考案の効果】
【００１４】
本考案の、防水用エア袋は、本体が機密性のある柔らかく折り曲げ自在なシートにより形成されており、内部にエアを収容する断面形状が三角形である空間を有する袋状であるためエアを注入すれば膨らみ、断面形状が三角形である立体を形成できるため、軽量で安定した自立及び定着を期待できる効果を有する。
【００１５】
また、斜面の底面から外側へ延設されている水圧受けシートは、シート上の水圧と同時に、防水側に位置せしめるため、防水面となる傾斜面を押圧する水勢が、下方への静水圧と成って前記水圧受けシートに作用することと相俟って、水圧受けシートに重圧がかかるため、本体が軽量であっても水勢で後退することなく、定着を安定化する効果を発揮する。
【００１６】
そして、長手方向に隣接して同一の防水用エア袋と接続手段で容易に連結していけること、本体はシートで形成されているため、常時は畳んで保管でき、経年の再使用に耐え得るものとなる。
【００１７】
請求項２の考案は、本体内に整形用仕切り幕が本体と同一の素材で側面と平行に内装されているため、その外周が前記本体の内周面と接続されていることにより、内部にエアが注入された前記本体の断面形状を拘束し、エアを注入しても丸く膨らまずに、断面形状を整形維持する効果を有する。
【００１８】
また、前記整形用仕切り幕に連通孔が設けられているため、連通孔からエアが流通し本体全体へエアを注入できる効果を有する。
そして、請求項３の連通孔の位置とすることで、整形作用を損なうことなく本体全体へ均質に効率よくエアを注入できる効果を有する。
【００１９】
請求項４の隣接する本体同士の連結手段が係止用リングと結着用紐であるため格別の技量を要せず作業が容易であること、請求項５の長手方向に連結された本体の接続部において、隣接する互いの側部近傍の傾斜面に跨って包着するカバーを設けたことで、防水効果を一層高めるものとなる。
【図面の簡単な説明】
【００２０】
【図１】本考案の一実施の態様を示す正面図である。
【図２】図１の背面図である。
【図３】図１の右側面図である。
【図４】図1の縦断面図である。
【図５】連結状態を示す部分斜視図である。
【考案を実施するための形態】
【００２１】
本考案の一実施の形態を図面に基づいて説明する。
本考案の防水用エア袋は、本体１が機密性のある柔らかく折り曲げ自在なシートにより形成されると共に、前後の傾斜面２１，２２、底面２３及び両側面２４，２５で構成されており、内部にエアを収容する断面形状が三角形である横長空間２６を有する袋状である。
また、本体１の長手幅に亘って水圧受けシート４が、防水側に配置する傾斜面２２の外側へ底面２３から延設されている。
【００２２】
そして、前記本体１の長手方向の一方の傾斜面２１の頂部近傍に、開閉手段３１を備えた給排口３が形成され、前記本体１の両側面２４、２５に、長手方向に隣接して設置する同一の防水用エア袋と連結する接続手段５を備える。
さらに、本体１内には整形用仕切り幕６が内装されており、前記整形用仕切り幕６に連通孔６１が設けられている。
【００２３】
本体１の素材である機密性のある柔らかく折り曲げ自在なシートは、例えばポリ塩化ビニールシートの厚さ０．６ｍｍのシートを選択でき、また、ポリエステル系の織布に塩化ビニル樹脂が含浸コーティングされたものなどがあり、他の同質の素材を適宜選択できる。
各パーツの連結は接着剤による接着、融着、又は縫着して該部を樹脂コーティング、或いは縫着して該部にテープを被着する等の方法が考えられ、その他適宜公知の方法を選択できる。
【００２４】
水圧受けシート４は、本体１と同一の素材で形成され、前記傾斜面２２側の底面２３から本体１の長手幅に亘って外側へ延設され、底面２３とは重層部において適宜手段で接着されて一体化されている。
そして、延設した傾斜面２２を河川等の流水側に配して設置するため、水圧受けシート４は増水した河川内に位置するものとなり、水圧受けシート４上の水圧と同時に、傾斜面２２を押圧する水勢が、下方への静水圧と成って水圧受けシート４に作用して重圧がかかるため、本体１が軽量であっても水勢で後退することなく、定着を安定化する作用を奏する。
【００２５】
本体１の長手方向の一方の傾斜面２１の頂部近傍に、開閉手段３１を備えた給排口３が形成されており、開閉手段３１は給排口３に開閉バルブを取り付けたたり、口栓やキャップを着脱する簡易なものまで設置場所や本体の大きさ等で適宜選択することができる。
使用時には、給排口３よりエアをコンプレッサー等で強制的に断面形状が三角形である本体１の横長空間２６内に充填して目的の場所に設置する。
使用後は、給排口３を開口して排気し、折り畳んで保存するものである。
【００２６】
また、本体１の横長空間２６内には、整形用仕切り幕６が本体と同一の素材で側面と平行に定間隔で内装されている。
整形用仕切り幕６に連通孔６１が設けられており、図面の例では連通孔６１は本体１の断面三角形状の各角部と中心部に配置され、給排口３が一カ所であっても本体１の横長空間２６内にエアを充填し、排気することができる。
そして、整形用仕切り幕６の外周が本体１の内周面と接続されていることにより、空間２６の内部にエアが注入された際に、本体１の断面形状を拘束し、エア圧によって丸く膨らむことなく、本他1の断面形状を三角形状に整形維持する作用をなす。
【００２７】
接続手段５は、図面において、各側面２４，２５にリング５１と係止用ベルト５２を、各側面２４，２５の周囲に定間隔で対応して設けた図面が例示されている。
連結は、本体１の長手方向に連接配置し、隣接する側面２４，２５同士の対応する接続手段５のリング５１と対する係止用ベルト５２を締着することで容易・迅速に連結できる。
対応する各リング５１と係止用ベルト５２の締着し易い一方の組を選択すればよく、２組共に締着すことまで要しない。
【００２８】
本体１の長手方向に連結された接続部には、隣接する互いの側部近傍の傾斜面２１，２２に跨って包着するカバー７が設けられ、連結を強化すると共に、接続部からの水の漏出を防ぐものである。
カバー７は本体１の傾斜面２１，２２及び前述の水圧受けシート４を被覆する前後長を有し、両側部に面テープ８，８が装設されており、傾斜面２１，２２に対応して装設されている面テープ８，８同士が密着し、隣接する接続部へ着脱可能に跨設される。
【００２９】
以上説明した本考案の技術的範囲は、上記の実施の形態例に限定されるものではなく、本明細書及び図面に記載した事項から明らかになる本考案が真に意図する技術的思想の範囲全体に、広く及ぶものである。
【符号の説明】
【００３０】
１          本体
２１，２２  傾斜面
２３        底面
２４，２５  側面
２６        空間
３          給排口
３１        開閉手段
４          水圧受けシ−ト
５          接続手段
５１        リング
５２        係止用ベルト
６          整形用仕切り幕
６１        連通孔
７          カバー
８          面テープ